(57)【要約】【課題】  本発明は、背部、座部および肘掛部を一枚状に変換することができることにより持ち運びを容易にし、かつ場所の取らない収納椅子を提供することを目的とするものである。【解決手段】  本発明の収納椅子は、前端側を開放状とした枠体１から構成される支持基板２と、この後端中央に立設される内部が中空状とした後部脚部３と、この後部脚部３に昇降自在に装着される背部支持部４と、この背部支持部４に固着される背部５と、この背部５に枢支連結される座部６及び肘掛部７と、これらの座部６及び肘掛部７に枢支連結される前部脚部８から構成されるものである。【選択図】        図１
2006034644.tif 000002
【特許請求の範囲】
【請求項１】
後部脚部に対して昇降自在とされる背部支持部と、
該背部支持部に固定される背部と、
該背部の下端に、その基端が連結枢支される座部と、
前記背部の両側中途に、その基端が連結枢支される肘掛部と、
前記肘掛部の先端側および座部先端側に連結枢支される前部脚部を備え、椅子の状態から前記背部支持部を上昇させることで前記背部、座部、肘掛部および前部脚部を一枚状に変換する
ことを特徴とする収納椅子。
【請求項２】
前記後部脚部の下端に、背部支持部および背部を垂直状に起立支持するための支持基板を設けた
ことを特徴とする請求項１記載の収納椅子。
【請求項３】
前記支持基板が着脱自在とする
ことを特徴とする請求項２記載の収納椅子。
【発明の詳細な説明】
【技術分野】
【０００１】
本発明は収納椅子に関する。詳しくは背部と座部とを備える通常の椅子の状態から背部と座部とを一枚状に収納する椅子に係るものである。
【背景技術】
【０００２】
一般的な収納椅子は、背部が略垂直に固定され、この背部の下方に座部が後端部を支点としては跳ね上げ可能に支持され、使用時には座部が略水平に降りて止まり、収納時には座部が跳ね上がって略垂直に立つとともに背部と前後に重なる構造とされている。
【０００３】
このような収納椅子では、収納時に座部が背部と前後に重なることから、背部や座部を厚いものとすると、奥行きが少ない収納場所には収納できないという問題があった。そこでこのような問題を解消するために例えば図６に示す発明がある。この発明は、上下方向に延在する二本の案内レール１０１と、前記二本の案内レール１０１の間に配置されるとともに両側部をそれぞれそれらの案内レール１０１に沿って昇降可能にそれらの案内レール１０１に支持された背部１０２と、前記二本の案内レール１０１の間に配置されるとともに両側部をそれぞれ水平軸線周りに回動可能なにそれらの案内レール１０１に支持された座部１０３と、前記背部１０１と前記座部１０３とを連結して前記座部１０３の略垂直な収納位置と略水平な使用位置との間の回動と前記背部１０１とを連動させるリンク部材１０４を備えた構成とする（特許文献１参照。）。
【０００４】
【特許文献１】特開２００３−３３９４７３号（要約図、第１図）
【発明の開示】
【発明が解決しようとする課題】
【０００５】
しかしながら前記構成の収納椅子では案内レールを壁面に固定し、この案内レールに座部および背部をリンク部材によって案内レールの上下に並べて収納するものであり、定位置での椅子の収納を可能にしたものであり、椅子自体を持ち運ぶことができない問題がある。
【０００６】
また、座部および背部に加わる荷重は二本の案内レールの下端に集中することになり、通常の椅子のように４本の脚部による支持に比べて案内レール下端の補強や接地面の補強をする必要が生じる問題がある。
【０００７】
本発明は、以上の点に鑑みて創案されたものであって、背部、座部および肘掛部を一枚状に変換することができることにより持ち運びを容易にし、かつ場所の取らない収納椅子を提供することを目的とするものである。
【課題を解決するための手段】
【０００８】
上記の目的を達成するために、本発明に係る収納椅子は、後部脚部に対して昇降自在とされる背部支持部と、該背部支持部に固定される背部と、該背部の下端に、その基端が連結枢支される座部と、前記背部の両側中途に、その基端が連結枢支される肘掛部と、前記肘掛部の先端側および座部先端側に連結枢支される前部脚部を備え、椅子の状態から前記背部支持部を上昇させることで前記背部、座部、肘掛部および前部脚部を一枚状に変換する構成とする。
【０００９】
ここで、後部脚部に対して昇降自在とされる背部支持部に固定される背部に座部および肘掛部が連結枢支されることにより、通常の椅子の形態から背部支持部を持ち上げるようにして背部を上昇させることで背部の下端に連結枢支される座部および背部の両側端に連結枢支される肘掛部が上昇することになりそれぞれの連結枢支を基点として座部および肘掛部の先端側が背部側へ回動して一枚状に変換されることになる。
【００１０】
また、後部脚部の下端に背部支持部および背部を垂直状に起立支持するための支持基板を設けることにより、前記背部、座部および肘掛部などの各構成部品の一枚状への変換、あるいは椅子への変換が安定した状態で行えることになる。
【発明の効果】
【００１１】
以上の構成より成る本発明では、椅子の形態から背部を持ち上げるようにして上昇させることで、座部および肘掛部並びに前部脚部が背部下部に一枚状に変換された状態となり、部屋の壁際へ移動させることで部屋を広く活用することが可能となる。
【００１２】
また、背部および座部の表面に模様を設けることにより一枚状に変換した際にはインテリアとして活用することが可能となる。
【発明を実施するための最良の形態】
【００１３】
以下、本発明の実施の形態を図面を参酌しながら説明し、本発明の理解に供する。
図１に、本発明を適用した収納椅子の一例を説明するための斜視図、図２に、図１における側面図を示す。
【００１４】
ここで示す収納椅子は、前端側を開放状とした枠体１から構成される支持基板２と、この後端中央に立設される内部が中空状とした後部脚部３と、この後部脚部３に昇降自在に装着される背部支持部４と、この背部支持部４に固着される背部５と、この背部５に枢支連結される座部６及び肘掛部７と、これらの座部６及び肘掛部７に枢支連結される前部脚部８から構成されるものである。
【００１５】
そこで前記後部脚部３は、支持基板２に突設される接続継手管９内に嵌入して締結ボルト１０によって連結、あるいは取り外しを自在に行える構成とするものである。
さらに前記背部支持部４は、後部脚部３内に昇降自在な状態で挿入され、後部脚部３の上部に設けられる締結ボルト１０によって背部支持部４を任意の位置高さに固定する構成とするものである。
【００１６】
ここで、前記背部支持部４の前面には平板状とされる背部５が固着される。そして背部５の下端には座部６の基端が蝶番部材１１によって連結枢支される。また、背部５の両側端中途部には肘掛部７の基端が枢支ピン１２によって連結枢支される。
【００１７】
次に、背部５が低位置の状態で前記肘掛部７の先端手前に前部脚部８の先端が連結枢支され、この前部脚部８によって肘掛部７が水平状に支持される。そして座部６を肘掛部７と同様に略水平にした状態で枢支ピン１２によって前部脚部８に連結枢支するものである。
【００１８】
また、前部脚部８の上端には肘掛部７が水平から垂直に変換される場合に、図３に示すように前部脚部８と肘掛部７とが一枚状となるように嵌合用溝部１３を設けるものである。また、前部脚部８の下端には前部脚部８の幅を維持するために脚部支持棒部１４が渡設される。
【００１９】
なお本発明の収納椅子を構成する背部、座部および肘掛部等の材質としてはステンレス板などの金属製や木製、あるいは硬質プラスチック製などの材質が考えられ、使用状況や設置環境に最も適した材質を採用するのが最も望ましい。
【００２０】
以上の構成よりなる本発明では図１および図２で示すように、背部５は後部脚部３内に背部支持部４が下部まで挿入された状態で垂直状に支持される。そして背部５の下端および両端中途に連結枢支される座部６および肘掛部７は前部脚部８によって水平状に支持される。
【００２１】
このような通常の椅子の状態から変換する場合には図４および図５に示すように、まず締結用ボルト１０を緩めて後部脚部３より背部支持部４を上方へ持ち上げるように引き上げた状態で固定することにより、背部５に連結枢支される肘掛部７および座部６の枢支位置が上方に移動する。
【００２２】
この場合に肘掛部７および座部６の先端側は前部脚部８に連結枢支されているために背部５の上昇とともに図中Ａ矢印方向へ回動しながら上昇し、座部６は背部５の下部に、肘掛部７および前部脚部８は背部５の両側端に一枚状となるように変換されるものである。
【００２３】
ここで、一枚状に変換された背部５、座部６および肘掛部７および前部脚部８は支持基板２によって垂直状に支持されるために、この状態で壁際まで移動することによって部屋内を広く活用することが可能となる。
【００２４】
また、収納、あるいは運搬する場合には支持基板２から後部脚部３を取り外すことによりコンパクト化を図ることが可能となる。
【００２５】
いっぽう、一枚状に変換された背部５、座部６および肘掛部７および前部脚部８を通常の椅子に変換する場合には、後部脚部３と背部支持部４との係留を解除し、前部脚部８を前方側へ引出すようにして背部支持部４を下降させることで通常の椅子に容易に変換することが可能となる。
【００２６】
また、背部および座部をステンレス材により形成し、このステンレス板表面に絵柄を付すことにより一枚状に変換した際には部屋のインテリアとして活用することができる。
【図面の簡単な説明】
【００２７】
【図１】本発明を適用した収納椅子の一例を示す斜視図である。
【図２】図１における側面説明図である。
【図３】本発明を適用した収納椅子の要部拡大説明図である。
【図４】本発明を適用した収納椅子の変換状態を示す斜視図である。
【図５】図４における側面説明図である。
【図６】従来の収納椅子の一例を示す説明図である。
【符号の説明】
【００２８】
１      枠体
２      支持基板
３      後部脚部
４      背部支持部
５      背部
６      座部
７      肘掛部
８      前部脚部
９      接続継手管
１０    締結ボルト
１１    蝶番部材
１２    枢支ピン
１３    嵌合用溝部
１４    脚部支持棒部
【図１】
2006034644.tif 000003
【図２】
2006034644.tif 000004
【図３】
2006034644.tif 000005
【図４】
2006034644.tif 000006
【図５】
2006034644.tif 000007
【図６】
2006034644.tif 000008